(57)【要約】【課題】  本発明は、カメラの動作モードによらず品質低下のない撮像画像を得ることができることを課題とする。【解決手段】  本発明の通信端末装置は、カメラ部２７の近傍に配置され、カメラ部２７の撮像時の補助光を発光するカメラ補助ライト発光部１８と、カメラ補助ライト発光部１８に補助光を発光するための電源を供給する電源IC３４と、カメラモードに移行したとき、カメラ部２７で画像情報を撮像する動作モードを判別するカメラ動作モード判別部３２と、カメラ動作モードに応じて電源供給IC３４からカメラ補助ライト発光部１８に供給される電源を切り替えて設定することにより、カメラ動作モードに応じてカメラ補助ライト発光部１８の補助光の光量を切り替える光量設定部３６とを備えたものである。【選択図】        図３
2005159661.tif 000002
【特許請求の範囲】
【請求項１】
カメラ部の撮像手段で撮像された画像情報を含む入力された送信すべき情報に対して通信処理部で通信処理を施して無線通信を介して送信する通信端末装置において、
上記撮像手段の近傍に配置され、上記撮像手段の撮像時の補助光を発光する補助光発光手段と、
上記補助光発光手段に補助光を発光するための電源を供給する電源供給手段と、
上記カメラ部の撮像手段で画像情報を撮像可能とするカメラモードに移行したか否かを判別するカメラモード判別手段と、
上記カメラモードに移行したとき、上記カメラ部の撮像手段で画像情報を撮像する動作モードを判別するカメラ動作モード判別手段と、
上記カメラ動作モードに応じて上記電源供給手段から上記補助光発光手段に供給される電源を切り替えて設定することにより、上記カメラ動作モードに応じて上記補助光発光手段の補助光の光量を切り替える光量設定手段と、
を備えたことを特徴とする通信端末装置。
【請求項２】
請求項１記載の通信端末装置において、
上記カメラ動作モードは、静止画、動画、接写静止画、接写動画の各撮像モードであり、光量の高い方から静止画、動画、接写動画、接写静止画の順で切り替えることを特徴とする通信端末装置。
【請求項３】
請求項２記載の通信端末装置において、
上記各撮像モード中で、上記撮像手段の撮像開始時から画像情報取り込み時まで段階的に光量を切り替えることを特徴とする通信端末装置。
【請求項４】
カメラ部の撮像手段で撮像された画像情報を含む入力された送信すべき情報に対して通信処理部で通信処理を施して通信端末装置により無線通信を介して送信する通信方法において、
上記撮像手段の近傍に配置され、上記撮像手段の撮像時の補助光を補助光発光手段により発光するステップと、
上記補助光発光手段に補助光を発光するための電源を電源供給手段により供給するステップと、
上記カメラ部の撮像手段で画像情報を撮像可能とするカメラモードに移行したか否かをカメラモード判別手段により判別するステップと、
上記カメラモードに移行したとき、上記カメラ部の撮像手段で画像情報を撮像する動作モードをカメラ動作モード判別手段により判別するステップと、
上記カメラ動作モードに応じて上記電源供給手段から上記補助光発光手段に供給される電源を光量設定手段により切り替えて設定することにより、上記カメラ動作モードに応じて上記補助光発光手段の補助光の光量を切り替えるステップと、
を備えたことを特徴とする通信方法。
【請求項５】
請求項４記載の通信方法において、
上記カメラ動作モードは、静止画、動画、接写静止画、接写動画の各撮像モードであり、光量の高い方から静止画、動画、接写動画、接写静止画の順で切り替えることを特徴とする通信方法。
【請求項６】
請求項５記載の通信方法において、
上記各撮像モード中で、上記撮像手段の撮像開始時から画像情報取り込み時まで段階的に光量を切り替えることを特徴とする通信方法。
【発明の詳細な説明】
【技術分野】
【０００１】
本発明は、カメラ部の撮像手段で画像情報を撮像可能とするカメラモードを有する通信端末装置および通信方法に関する。
【背景技術】
【０００２】
特許文献1には、表示されている情報が他人に見られることを、より効果的に防止できるようにするために、電子メールとして送信する文章を作成する作成画面がLCD(LiquidCrystal Display)に表示されているとき、CCD(Charge Coupled Device)カメラにより、携帯電話機の正面に臨む所定の範囲が撮影され、撮影された画像に含まれる人物の虹彩のパターンを表す虹彩データが抽出され、メモリカードに予め登録されている、携帯電話機のユーザの虹彩データと同一であるか否かが判定され、抽出された虹彩データが、予め登録されている虹彩データと同一でないとき、携帯電話機のユーザ以外の人物によりLCDの表示が覗かれているおそれがあることを警告する警告画面がLCDに表示される携帯端末が開示されている。
【０００３】
上述のように、携帯端末装置はカメラ付のものが多く、カメラの機能の向上に伴って、静止画撮影だけでなく、接写レンズを装着して被写体に接写しても撮影が可能となり、動画撮影できるものも多い。また、撮影時に例えば補助ライトを用いることによって、低照度時の環境下でも撮影可能となることが分かる。
【０００４】
【特許文献１】特開2003-264877号公報
【発明の開示】
【発明が解決しようとする課題】
【０００５】
上述した従来のカメラ付携帯端末装置は、接写時や動画撮影時などは補助ライトを発光させると、反射光が強いために撮像画像に白とびなどの不具合が発生するため、撮影した画像の品質が低下し、一定の品質の画像が得られないという不都合があった。
【０００６】
そこで、本発明は、カメラの動作モードによらず品質低下のない撮像画像を得ることができる通信端末装置および通信方法を提供することを課題とする。
【課題を解決するための手段】
【０００７】
上記課題を解決し、本発明の目的を達成するため、本発明の通信端末装置は、撮像手段の近傍に配置され、撮像手段の撮像時の補助光を発光する補助光発光手段と、補助光発光手段に補助光を発光するための電源を供給する電源供給手段と、カメラ部の撮像手段で画像情報を撮像可能とするカメラモードに移行したか否かを判別するカメラモード判別手段と、カメラモードに移行したとき、カメラ部の撮像手段で画像情報を撮像する動作モードを判別するカメラ動作モード判別手段と、カメラ動作モードに応じて電源供給手段から補助光発光手段に供給される電源を切り替えて設定することにより、カメラ動作モードに応じて補助光発光手段の補助光の光量を切り替える光量設定手段とを備えたものである。
【０００８】
これにより、カメラ動作モードに応じて電源供給手段から補助光発光手段に供給される電源を切り替えて設定することにより、カメラ動作モードに応じて補助光発光手段の補助光の光量を切り替えることができる。
【０００９】
また、本発明の通信方法は、撮像手段の近傍に配置され、撮像手段の撮像時の補助光を補助光発光手段により発光するステップと、補助光発光手段に補助光を発光するための電源を電源供給手段により供給するステップと、カメラ部の撮像手段で画像情報を撮像可能とするカメラモードに移行したか否かをカメラモード判別手段により判別するステップと、カメラモードに移行したとき、カメラ部の撮像手段で画像情報を撮像する動作モードをカメラ動作モード判別手段により判別するステップと、カメラ動作モードに応じて電源供給手段から補助光発光手段に供給される電源を光量設定手段により切り替えて設定することにより、カメラ動作モードに応じて補助光発光手段の補助光の光量を切り替えるステップとを備えたものである。
【００１０】
これにより、カメラ動作モードに応じて電源供給手段から補助光発光手段に供給される電源を切り替えて設定するステップにより、カメラ動作モードに応じて補助光発光手段の補助光の光量を切り替えることができる。
【発明の効果】
【００１１】
本発明の通信端末装置によれば、カメラ動作モードに応じて補助光発光手段の補助光の光量を切り替えることにより、カメラ動作モードに応じて適切な光量で補助光を発光させることができ、カメラの動作モードによらず品質低下のない撮像画像を得ることができる。
【００１２】
また、本発明の通信方法によれば、カメラ動作モードに応じて補助光発光手段の補助光の光量を切り替えるステップにより、カメラ動作モードに応じて適切な光量で補助光を発光させることができ、カメラの動作モードによらず品質低下のない撮像画像を得ることができる。
【発明を実施するための最良の形態】
【００１３】
図１は、本発明の実施の形態の通信装置が適用される携帯端末装置の外観図であり、図１Ａは表を示す正面図、図１Ｂは左側面図、図１Ｃは右側面図、図１Ｄは裏を示す背面図である。
【００１４】
図1に示す携帯端末装置はいわゆるジャック式の構造になっており、図１Ａに示す表面部を図１Ｄに示す裏面部に対して矢印方向に回転させることで、開放状態に移行することができる。図1は遮蔽状態である。カメラ部の撮像手段で画像情報を撮像するカメラモードは遮蔽状態で使用可能である。
【００１５】
図１Ａに示す表面部の１１はユーザの押圧操作により発信操作やメール編集、その他所定の操作を可能にするための入力キーであり、１１ａは動画・静止画モードを切り替える機能を有する動画・静止画切替スイッチである。動画・静止画切替スイッチ１１ａによりカメラ動作モードは動画モード又は静止画モードに移行する。
【００１６】
図１Ｃに示す右側面部の１２はユーザの押下操作により動画撮像時のカメラ部起動、静止画撮像時のカメラ部に対するシャッターの機能を有するシャッタースイッチである。１３はユーザのスライド操作により、撮像光路に対して機構式で接写撮像時に用いるマクロレンズを装着するマクロレンズスイッチである。マクロレンズを装着した状態でカメラ動作モードは接写撮影モードに移行する。この状態では、例えば、バーコードなどの情報の読み取りが可能である。従って、カメラ動作モードは、静止画モード、動画モード、接写動画モード、接写静止画モードの４つのモードがある。
【００１７】
図１Ｂに示す左側面部の１４はユーザのスライド操作により、キー操作を無効にする機能を有し、ユーザの押下操作によりカメラ部起動時は後述するカメラ補助ライト発光部１８をオン又はオフにするカメラ補助ライトスイッチである。
【００１８】
図１Ａに示す１５はユーザの回転及び押下操作が可能なジョグダイヤルであり、例えばメールの編集などの各種操作のための入力が可能である。１６は各種操作情報や状態を表示する表示部である。
【００１９】
図１Ｄに示す裏面部の１７は画像情報を撮像するカメラ部であり、後述するカメラカバー１９の開放等の操作で起動する。１８はカメラ部１７の近傍に設けられたカメラ補助ライト発光部であり、上述したカメラ補助ライトスイッチ１４の押下操作によりカメラ部起動時にオン又はオフ可能にされる。
【００２０】
１９はカメラカバーであり、矢印方向へのユーザのスライド操作により、カメラ部１７及びカメラ補助ライト発光部１８を遮蔽状態又は開放状態にし、図示の開放状態でカメラ部１７の起動が可能にされてカメラモードに移行する。
【００２１】
カメラ補助ライト発光部１８は、カメラ部１７の撮像手段に対して光度が足りないときに明るさを補助する機能を有するものであり、例えば、LED（Light Emitting Diode）で構成され、数１０センチメートル程度の距離の被写体に届く程度の光度を有するものである。カメラ補助ライト発光部１８は、暗い場所での撮影を補助するものであり、通常のカメラのストロボのような光量はない。
【００２２】
図２は、本発明の実施の形態の通信端末装置が適用される携帯端末装置の構成を示すブロック図である。この携帯端末装置は、例えば、W−CDMA（Wideband‐Code Division Multiple Access）方式に適用可能な構成を想定している。
【００２３】
送信時には、通信処理部３において、レイヤ１（物理レイヤ）が処理を行うデータの基本単位（MAC（Medium Access Control）レイヤからレイヤ１にデータが転送される単位）であるトランスポートブロック（TB：Transport Block）毎にブロック誤りを検出するためのCRC（Cyclic Redundancy Check）符号を付加後、チャンネル符号化（誤り訂正符号化）及びインターリーブされる。
【００２４】
インターリーブ後のビット系列は、チャンネル推定のためのパイロットビット等のオーバーヘッドを付加された後、データ変調される。データ変調マッピングされた位相平面上の同相及び直交成分は、それぞれ２階層の拡散符号系列で拡散される。
【００２５】
拡散後のチップデータ系列は、自乗余弦ルートナイキストフィルタで５MHZ帯域に帯域制限された後、D/A変換器でアナログ信号に変換後、直交変換される。ＲＦ処理部２２において直交変換された中間周波数信号はさらに２GHZ帯のRF信号に周波数変換後、電力増幅されてアンテナ２１を介して無線通信により送信される。
【００２６】
受信時には、図２において、携帯端末装置にアンテナ２１を介して無線通信により入力した受信信号は、RF処理部２２において低雑音増幅器で増幅され、高周波数から中間周波数に周波数変換された後、自動利得制御増幅器で線形増幅される。
【００２７】
また、通信処理部２３において、増幅後の信号は直交検波されて、同相及び直交成分を生じる。この同相及び直交成分のアナログ信号は、A/D変換器でディジタル信号に変換される。さらにディジタル値変換された同相及び直交成分はルートナイキストフィルタで帯域制限後、拡散された受信信号の拡散符号と同一の拡散符号で、逆拡散することにより、伝搬遅延時間の異なる複数のマルチパス成分に時間分離される。
【００２８】
時間分離されたパスはコヒーレントレイク合成され、レイク合成後のデータ系列は、デインターリーブ及びチャネル復号による誤り訂正復号の後、２値のデータ判定が行われ、送信データ系列が再生される。再生データ系列から各トランスポートチャネルへの分離およびブロック誤りの検出が行われ、再生データが出力される。
【００２９】
出力された再生データは制御部２５の上位レイヤのアプリケーションソフトウエア処理部に転送される。ユーザがキー入力部２４にキー入力することにより、制御部２５の上位レイヤのアプリケーションソフトウエア処理部は表示部２６に再生データおよび再生状態の表示を行う。
カメラ部２７の撮像手段で撮像された画像情報は制御部２５の画像メモリに取り込まれた後に表示部２６に表示され、通信処理部３により符号化された後にＲＦ処理部２２により周波数変換されて送信される。このカメラ部２７は図１に示したカメラ部１７に対応する。
【００３０】
上述した携帯端末装置のカメラ部２７において、本発明の実施の形態の通信装置が適用される。以下、この通信装置について説明する。
図３は、本発明の実施の形態の要部のカメラ補助ライトの光量設定系を示す図である。まず、図１に示したカメラカバー１９の矢印方向へのユーザのスライド操作により、カメラ部１７及びカメラ補助ライト１８を遮蔽状態から開放状態にすることにより、カメラ部２７が起動されてカメラモードに移行する。このとき、カメラ部２７の撮像手段で撮像された画像情報は制御部２５の画像メモリに取り込まれた後に表示部２６に表示されてドラフトモードに移行する。
【００３１】
カメラ部２７がカメラモードに移行した後にキー入力部２４の動画・静止画切替スイッチ１１ａが操作されると制御部２５のCPU31のカメラ動作モード判別部３２はカメラ動作モードが動画モード又は静止画モードに移行したことを判別する。
【００３２】
動画・静止画切替スイッチ１１ａが操作されたことにより、制御部２５のCPU31のカメラ動作モード判別部３２はカメラ動作モードが静止画モードに移行したことを判別したとき、制御部２５のCPU31のカメラ動作モード判別部３２は静止画モード信号をスイッチ３３に供給する。ここで、キー入力部２４のカメラ補助ライトスイッチ１４がオン状態に操作されることにより、スイッチ３３が同通状態となり、スイッチ３３を介して静止画モード信号が電源IC３４の光量設定レジスタ３５に供給される。
【００３３】
光量設定レジスタ３５は、予め設定されている静止画モードに対応する最も高い光度の発光が可能な電流値を出力するように出力信号を光量設定部３６に供給する。光量設定部３６は、静止画モードに対応する電流値をカメラ部２７のカメラ補助ライト発光部１８に供給する。これにより、カメラ部２７のカメラ補助ライト発光部１８は、静止画モードに対応する電流値により最も高い光度の発光を行う。このとき、カメラ部２７の撮像手段で撮像された静止画像情報は制御部２５の画像メモリに取り込まれた後に記録媒体に記録される。
【００３４】
また、動画・静止画切替スイッチ１１ａが操作されたことにより、制御部２５のCPU31のカメラ動作モード判別部３２はカメラ動作モードが動画モードに移行したことを判別したとき、制御部２５のCPU31のカメラ動作モード判別部３２は動画モード信号をスイッチ３３に供給する。ここで、キー入力部２４のカメラ補助ライトスイッチ１４がオン状態に操作されることにより、スイッチ３３が同通状態となり、スイッチ３３を介して動画モード信号が電源IC３４の光量設定レジスタ３５に供給される。
【００３５】
光量設定レジスタ３５は、予め設定されている動画モードに対応する静止画モードの次に高い光度の発光が可能な電流値を出力するように出力信号を光量設定部３６に供給する。光量設定部３６は、動画モードに対応する電流値をカメラ部２７のカメラ補助ライト発光部１８に供給する。これにより、カメラ部２７のカメラ補助ライト発光部１８は、動画モードに対応する電流値により静止画モードの次に高い光度の発光を行う。このとき、カメラ部２７の撮像手段で撮像された動画像情報は制御部２５の画像メモリに取り込まれた後に記録媒体に記録される。
【００３６】
また、動画・静止画切替スイッチ１１ａが操作された状態で、マクロレンズスイッチ１３が操作されたことにより、制御部２５のCPU31のカメラ動作モード判別部３２はカメラ動作モードが接写動画モードに移行したことを判別したとき、制御部２５のCPU31のカメラ動作モード判別部３２は接写動画モード信号をスイッチ３３に供給する。ここで、キー入力部２４のカメラ補助ライトスイッチ１４がオン状態に操作されることにより、スイッチ３３が同通状態となり、スイッチ３３を介して接写動画モード信号が電源IC３４の光量設定レジスタ３５に供給される。
【００３７】
光量設定レジスタ３５は、予め設定されている接写動画モードに対応する動画モードの次に高い光度の発光が可能な電流値を出力するように出力信号を光量設定部３６に供給する。光量設定部３６は、接写動画モードに対応する電流値をカメラ部２７のカメラ補助ライト発光部１８に供給する。これにより、カメラ部２７のカメラ補助ライト発光部１８は、接写動画モードに対応する電流値により動画モードの次に高い光度の発光を行う。このとき、カメラ部２７の撮像手段で撮像された接写動画像情報は制御部２５の画像メモリに取り込まれた後に記録媒体に記録される。
【００３８】
また、動画・静止画切替スイッチ１１ａが操作された状態で、マクロレンズスイッチ１３が操作されたことにより、制御部２５のCPU31のカメラ動作モード判別部３２はカメラ動作モードが接写静止画モードに移行したことを判別したとき、制御部２５のCPU31のカメラ動作モード判別部３２は接写静止画モード信号をスイッチ３３に供給する。ここで、キー入力部２４のカメラ補助ライトスイッチ１４がオン状態に操作されることにより、スイッチ３３が同通状態となり、スイッチ３３を介して接写静止画モード信号が電源IC３４の光量設定レジスタ３５に供給される。
【００３９】
光量設定レジスタ３５は、予め設定されている接写静止画モードに対応する最も低い光度の発光が可能な電流値を出力するように出力信号を光量設定部３６に供給する。光量設定部３６は、接写静止画モードに対応する電流値をカメラ部２７のカメラ補助ライト発光部１８に供給する。これにより、カメラ部２７のカメラ補助ライト発光部１８は、接写静止画モードに対応する電流値により最も低い光度の発光を行う。このとき、カメラ部２７の撮像手段で撮像された接写静止画像情報は制御部２５の画像メモリに取り込まれた後に記録媒体に記録される。
【００４０】
図４は、静止画時のカメラ補助ライトの光量設定の動作を示すフローチャートであり、図４Ａはカメラ補助ライトオン、図４Ｂはカメラ補助ライトオフである。
図４Ａに示す静止画時のカメラ補助ライトの光量設定によるカメラ補助ライトオンの動作において、ステップＳ１で、カメラ色補正をオンにする。具体的には、カメラ補助ライト発光部１８をオンにする前に、カメラ撮影色のパラメータをカメラ補助ライト発光部１８のLED光源にあわせる必要があるため、制御部２５は、カメラ部２７内部のカメラレジスタへ調整値の書き込みを行う。
【００４１】
ステップＳ２で、マクロレンズ装着か否かを判断する。具体的には、制御部２５のCPU31のカメラ動作モード判別部３２は、動画・静止画切替スイッチ１１ａが操作された状態で、マクロレンズスイッチ１３が操作されたか否かを判断する。
【００４２】
ステップＳ２でマクロレンズ装着でないとき、ステップＳ３で、カメラ補助ライトの光量設定の電流値を17.33ｍAにする。具体的には、制御部２５のCPU31のカメラ動作モード判別部３２がカメラ動作モードが静止画モードに移行したことを判別したとき、制御部２５のCPU31のカメラ動作モード判別部３２は静止画モード信号をスイッチ３３を介して電源IC３４の光量設定レジスタ３５に供給する。電源IC３４の光量設定レジスタ３５は、静止画モード用の最も高い電流値17.33ｍAの出力信号を光量設定部３６に供給する。光量設定部３６は、静止画モードに対応する電流値をカメラ部２７のカメラ補助ライト発光部１８に供給する。
これにより、ステップS５で、カメラ部２７のカメラ補助ライト発光部１８は、静止画モードに対応する電流値により最も高い光度の発光を行う。
【００４３】
また、ステップＳ２でマクロレンズ装着のとき、ステップＳ４で、カメラ補助ライトの光量設定の電流値を2.67ｍAにする。具体的には、制御部２５のCPU31のカメラ動作モード判別部３２がカメラ動作モードが接写静止画モードに移行したことを判別したとき、制御部２５のCPU31のカメラ動作モード判別部３２は接写静止画モード信号をスイッチ３３を介して電源IC３４の光量設定レジスタ３５に供給する。電源IC３４の光量設定レジスタ３５は、接写静止画モード用の最も低い電流値2.67ｍAの出力信号を光量設定部３６に供給する。光量設定部３６は、接写静止画モードに対応する電流値をカメラ部２７のカメラ補助ライト発光部１８に供給する。
これにより、ステップS５で、カメラ部２７のカメラ補助ライト発光部１８は、接写静止画モードに対応する電流値により最も低い光度の発光を行う。
【００４４】
図４Bに示すカメラ補助ライトオフの動作において、ステップＳ６で、カメラ色補正をオフにする。具体的には、カメラ部２７のカメラレジスタの内容を自然光に合わせるため元の設定値（オフ時の補正調整値）に戻す。ただし、カメラ補助ライト発光部１８のオンの状態からカメラ部２７の電源をオフにする場合は、カメラレジスタの内容がリセットされるため、カメラ補助ライト発光部１８のオフ時の補正調整値を改めて書き込まなくてもよい。
ステップＳ７でカメラ補助ライトをオフにする。
【００４５】
図５は、動画時のカメラ補助ライトの光量設定の動作を示すフローチャートであり、図５Ａはカメラ補助ライトオン、図５Ｂはカメラ補助ライトオフである。
図５Ａに示す動画時のカメラ補助ライトの光量設定によるカメラ補助ライトオンの動作において、ステップＳ１１で、カメラ色補正をオンにする。具体的には、カメラ補助ライト発光部１８をオンにする前に、カメラ撮影色のパラメータをカメラ補助ライト発光部１８のLED光源にあわせる必要があるため、制御部２５は、カメラ部２７内部のカメラレジスタへ調整値の書き込みを行う。
【００４６】
ステップＳ１２で、マクロレンズ装着か否かを判断する。具体的には、制御部２５のCPU31のカメラ動作モード判別部３２は、動画・静止画切替スイッチ１１ａが操作された状態で、マクロレンズスイッチ１３が操作されたか否かを判断する。
【００４７】
ステップＳ１２でマクロレンズ装着でないとき、ステップＳ１３で、カメラ補助ライトの光量設定の電流値を10.67ｍAにする。具体的には、制御部２５のCPU31のカメラ動作モード判別部３２がカメラ動作モードが動画モードに移行したことを判別したとき、制御部２５のCPU31のカメラ動作モード判別部３２は動画モード信号をスイッチ３３を介して電源IC３４の光量設定レジスタ３５に供給する。電源IC３４の光量設定レジスタ３５は、動画モード用の静止画モードの次に高い電流値10.67ｍAの出力信号を光量設定部３６に供給する。光量設定部３６は、動画モードに対応する電流値をカメラ部２７のカメラ補助ライト発光部１８に供給する。
これにより、ステップS１５で、カメラ部２７のカメラ補助ライト発光部１８は、動画モードに対応する電流値により静止画モードの次に高い光度の発光を行う。
【００４８】
また、ステップＳ１２でマクロレンズ装着のとき、ステップＳ１４で、カメラ補助ライトの光量設定の電流値を6.67ｍAにする。具体的には、制御部２５のCPU31のカメラ動作モード判別部３２がカメラ動作モードが接写動画モードに移行したことを判別したとき、制御部２５のCPU31のカメラ動作モード判別部３２は接写動画モード信号をスイッチ３３を介して電源IC３４の光量設定レジスタ３５に供給する。電源IC３４の光量設定レジスタ３５は、接写動画モード用の動画モードの次に高い電流値6.67ｍAの出力信号を光量設定部３６に供給する。光量設定部３６は、接写動画モードに対応する電流値をカメラ部２７のカメラ補助ライト発光部１８に供給する。
これにより、ステップS１５で、カメラ部２７のカメラ補助ライト発光部１８は、接写動画モードに対応する電流値により動画モードの次に高い光度の発光を行う。
【００４９】
図５Bに示すカメラ補助ライトオフの動作において、ステップＳ１６で、カメラ色補正をオフにする。具体的には、カメラ部２７のカメラレジスタの内容を自然光に合わせるため元の設定値（オフ時の補正調整値）に戻す。ただし、カメラ補助ライト発光部１８のオンの状態からカメラ部２７の電源をオフにする場合は、カメラレジスタの内容がリセットされるため、カメラ補助ライト発光部１８のオフ時の補正調整値を改めて書き込まなくてもよい。
ステップＳ１７でカメラ補助ライトをオフにする。
【００５０】
図６は、光量設定レジスタの構成を示す図である。
図６において、光量の設定方法は、６１〜６４で示す4ビットのWLED-VR０〜WLED-VR３（bit0〜bit3）でカメラ補助ライト発光部１８に供給する電流値を光量設定部３６に対して設定可能に構成され、６５で示すWLED-VR-ON（bit４）及び６６で示すWVR-MSK（bit5）でカメラ補助ライト発光部１８の発光動作のオンまたはオフを制御可能に構成される。
【００５１】
図７は、光量設定レジスタ値と出力電流値との対応を示す図である。
図７において、７１に示すカメラ動作モードに応じて、７２で示す０〜Fまでの１６進数字で示す光量設定レジスタ値WLED-VR[3:0]、７３で示す0000〜1111までの２進数字で示す光量設定レジスタ値WLED-VR[3:0]、74で示す出力電流のいずれかが対応して設定される。ここで、カメラ動作モード７１が静止画時のときは最も高い電流値７４の17.33ｍA、カメラ動作モード７１が動画時のときは静止画の次に高い電流値７４の10.67ｍA、カメラ動作モード７１が接写（マクロ撮影）動画時のときは動画の次に高い電流値７４の6.67ｍA、カメラ動作モード７１が接写（マクロ撮影）静止画時のときは最も低い電流値７４の2.67ｍAに設定される。また、これに限らず、各撮像モード中で、カメラ部２７の撮像開始時から画像情報取り込み時まで段階的に光量を下げるようにして、切り替えるようにしてもよい。なお、これらの値は、予め測定された値に基づいて設定される。
【００５２】
ここで、静止画時にはもっとも明るくしたいのに対して、動画時には反射防止のために電流値を下げるようにしている。また、通常撮影時に比べて接写（マクロ撮影）時には電流値を下げるようにしている。
特に、通常撮影時に比べて接写（マクロ撮影）時には静止画と動画の電流値の高さが逆転している。これは、接写（マクロ撮影）時には静止画では、多い電流をさらに絞って撮影動作に電力を多く供給したいためである。
【００５３】
図８は、光量設定レジスタの出力状態の制御を示す図である。
図８において、８１で示す光量設定レジスタWLED-CNTの、８２で示すWVR-MSK及び８３で示すWLED-VR-ONの値が（０，１）のとき、８４で示す出力状態は、上述した４ビットの光量設定レジスタ値WLED-VR[3:0]で設定した電流値でカメラ補助ライト発光部１８を点灯させるように制御する。８１で示す光量設定レジスタWLED-CNTの、８２で示すWVR-MSK及び８３で示すWLED-VR-ONの値が（１，１）のとき、８４で示す出力状態は、上述した４ビットの光量設定レジスタ値WLED-VR[3:0]の１６進数字で示すＦで設定した最大の電流値でカメラ補助ライト発光部１８を点灯させるように制御する。８１で示す光量設定レジスタWLED-CNTの、８２で示すWVR-MSK及び８３で示すWLED-VR-ONの値が（―,０）のとき、８４で示す出力状態は、カメラ補助ライト発光部１８を消灯させるように制御する。
【００５４】
図９は、各カメラ動作モード時のカメラ補助ライト設定値を示す図である。
図９において、９１で示すカメラ動作モードが静止画時には、９２で示す調整値番号が３２４、９３で示す調整内容が光量設定２、９４で示す２進数字で示す光量設定レジスタ値WLED-VR[3:0]が1101、９５で示す出力電流値が最も高い17.33ｍAである。９１で示すカメラ動作モードが動画時には、９２で示す調整値番号が３２３、９３で示す調整内容が光量設定１、９４で示す２進数字で示す光量設定レジスタ値WLED-VR[3:0]が1000、９５で示す出力電流値が静止画の次に高い10.67ｍAである。９１で示すカメラ動作モードが接写（マクロ撮影）静止画時には、９２で示す調整値番号が３２６、９３で示す調整内容が光量設定４、９４で示す２進数字で示す光量設定レジスタ値WLED-VR[3:0]が0010、９５で示す出力電流値が最も低い2.67ｍAである。９１で示すカメラ動作モードが接写（マクロ撮影）動画時には、９２で示す調整値番号が３２５、９３で示す調整内容が光量設定３、９４で示す２進数字で示す光量設定レジスタ値WLED-VR[3:0]が0101、９５で示す出力電流値が動画時の次に高い6.67ｍAである。
【００５５】
このように、カメラ補助ライト発光部１８は、ユーザのキー入力部２４のカメラ補助ライトスイッチ１４に対する操作により、任意にオンまたはオフすることができ、上述したカメラ動作モード判断部３２により判別される静止画、動画、接写動画、接写静止画の４つのカメラ動作モードにより光量を切り替え制御できるように構成されている。
【００５６】
このとき、カメラ補助ライト発光部１８のオンまたはオフ及び光量は電源IC３４の光量設定レジスタ３５の設定値により制御することができる。電源IC３４の光量設定レジスタ３５は、カメラ補助ライト発光部１８のオンまたはオフには１ビットの情報を用い、光量の設定には４ビットの情報を用いて制御し、最大１６段階の設定が可能である。電源IC３４の光量設定レジスタ３５は、光量の設定値はこの値を調整値に格納しておき、上述したカメラ動作モード判断部３２により判別される静止画、動画、接写動画、接写静止画の４つのカメラ動作モード毎に設置値の読み出しを行う。
【００５７】
図１０は、カメラ補助ライトの光量設定の動作を示すタイムチャートであり、図１０Ａはカメラモード信号、図１０Ｂは光量設定レジスタ設定WVR-MSK、図１０Ｃは光量設定レジスタ設定WLED-VR-ON、図１０Ｄはカメラ動作モード信号である。
【００５８】
図１０Aに示すカメラモード信号は、図１に示したカメラカバー１９の矢印方向へのユーザのスライド操作により、カメラ部１７及びカメラ補助ライト１８を遮蔽状態から開放状態にすることにより、Ｔ１時点で、ハイレベルとなり、カメラ部２７の起動がされてカメラモードに移行したとき、制御部２５から電源IC３４の光量設定レジスタ３５に供給される。
【００５９】
図１０Ｂは光量設定レジスタ設定WVR-MSK(bit5)は、ローレベルのままである。図１０Ｃに示す光量設定レジスタ設定WLED-VR-ON（bit４）は、１０２で示すカメラ補助ライトスイッチがオンとなったとき、Ｔ２時点で、ハイレベルとなる。このとき、１０１で示すように上述したカメラ動作モード判別部３２により判別される静止画、動画、接写動画、接写静止画の４つのカメラ動作モード毎に設定された光量設定レジスタ値WLED-VR[3:0]の調整値に対応する出力電流値が電源IC３４からカメラ補助ライト発光部１８に供給されて、カメラ補助ライト発光部１８は４つのカメラ動作モード毎に対応する光量で発光する。
【００６０】
このとき、図１０Dに示すカメラ動作モード信号は、制御部２５により１０５で示すドラフトモードとなり、カメラ部２７の撮像手段で撮像された画像情報は制御部２５の画像メモリに取り込まれた後に表示部２６に表示される。
【００６１】
Ｔ３時点で、１０３で示すようにシャッタースイッチ１２が押下されると、制御部２５のCPU31のカメラ動作モード判別部３２がカメラ動作モードを判別して、１０６で示すように静止画又は動画撮影モードに移行する。なお、制御部２５のCPU31のカメラ動作モード判別部３２はマクロレンズスイッチ１３が操作されたときは、接写（マクロ撮影）静止画又は接写（マクロ撮影）動画撮影モードに移行する。このとき、カメラ部２７の撮像手段で撮像された画像情報は制御部２５の画像メモリに取り込まれた後に記録媒体に記録される。
【００６２】
Ｔ４時点で、シャッタースイッチ１２が戻されると、制御部２５により１０７で示すドラフトモードとなり、カメラ部２７の撮像手段で撮像された画像情報は制御部２５の画像メモリに取り込まれた後に表示部２６に表示される。
【００６３】
Ｔ５時点で、１０７で示すドラフトモードのまま何もキー入力部２４によりキー入力がされないとドラフトモード１０７が終了し、１０４で示すカメラ補助ライトスイッチがオフとなり、Ｔ６時点でカメラモード信号がローレベルになって、カメラモードが終了する。
【図面の簡単な説明】
【００６４】
【図１】本発明の実施の形態の通信装置が適用される携帯端末装置の外観図であり、図１Ａは表を示す正面図、図１Ｂは左側面図、図１Ｃは右側面図、図１Ｄは裏を示す背面図である。
【図２】携帯端末装置の構成を示すブロック図である。
【図３】本発明の実施の形態の要部のカメラ補助ライトの光量設定系を示す図である。
【図４】静止画時のカメラ補助ライトの光量設定の動作を示すフローチャートであり、図４Ａはカメラ補助ライトオン、図４Ｂはカメラ補助ライトオフである。
【図５】動画時のカメラ補助ライトの光量設定の動作を示すフローチャートであり、図５Ａはカメラ補助ライトオン、図５Ｂはカメラ補助ライトオフである。
【図６】光量設定レジスタの構成を示す図である。
【図７】光量設定レジスタ値と出力電流値との対応を示す図である。
【図８】光量設定レジスタの出力状態の制御を示す図である。
【図９】各カメラ動作モード時のカメラ補助ライト設定値を示す図である。
【図１０】カメラ補助ライトの光量設定の動作を示すタイムチャートであり、図１０Ａはカメラモード信号、図１０Ｂは光量設定レジスタ設定WVR-MSK、図１０Ｃは光量設定レジスタ設定WLED-VR-ON、図１０Ｄはカメラ動作モード信号である。
【符号の説明】
【００６５】
１１…入力キー、１１a…動画・静止画切替スイッチ、１２…シャッタースイッチ、１３…マクロレンズスイッチ、１４…カメラ補助ライトスイッチ、１５…ジョグダイヤル、１６…表示部、１７…カメラ、１８…カメラ補助ライト発光部、１９…カメラカバー、２１…アンテナ、２２…ＲＦ処理部、２３…通信処理部、２４…キー入力部、２５…制御部、２６…表示部、２７…カメラ部、３１…CPU、３２…カメラ動作モード判断部、３３…スイッチ、３４…電源IC、３５…光量設定レジスタ、３６…光量設定部、６１〜６４…WLED-VR０〜WLED-VR３、６５…WLED-VR-ON、６６…WVR-MSK、７１…カメラ動作モード、７２…１６進数字の光量設定レジスタ値WLED-VR[3:0]、７３…２進数字の光量設定レジスタ値WLED-VR[3:0]、７４…出力電流、８１…光量設定レジスタWLED-CNT、８２…WVR-MSK、８３…WLED-VR-ON、８４…出力状態、９１…カメラ動作モード、９２…調整値番号、９３…調整内容、９４…２進数字の光量設定レジスタ値WLED-VR[3:0]、９５…出力電流、１０１…光量設定レジスタ値WLED-VR[3:0]の調整値、１０２…カメラ補助ライトオン、１０３…シャッタースイッチ押下、１０４…カメラ補助ライトオフ、１０５…ドラフトモード、１０６…静止画又は動画撮影モード、１０７…ドラフトモード
【図１】
2005159661.tif 000003
【図２】
2005159661.tif 000004
【図３】
2005159661.tif 000005
【図４】
2005159661.tif 000006
【図５】
2005159661.tif 000007
【図６】
2005159661.tif 000008
【図７】
2005159661.tif 000009
【図８】
2005159661.tif 000010
【図９】
2005159661.tif 000011
【図１０】
2005159661.tif 000012